(57)【要約】【課題】プランターに供給され余剰した排水を、手間をかけることなく有効に利用することができるプランター装置を提供すること。【解決手段】草花７を植栽可能であるとともに、該草花７に供給され余剰した排水を外部に流出するための排水口を有するプランター２と、前記プランター２を床面Ｆから所定高さ位置に支持する支持手段３と、前記排水を前記プランター２の内部または該プランター２の外部近傍位置に保持するための排水保持手段６と、を備え、前記排水保持手段６は、保持した排水を前記プランター２に供給可能に構成されている。【選択図】図１
2008295630.tif 000002
【特許請求の範囲】
【請求項１】
草花を植栽可能であるとともに、該草花に供給され余剰した排水を外部に流出するための排水口を有するプランターと、
前記プランターを床面から所定高さ位置に支持する支持手段と、
前記排水を前記プランターの内部または該プランターの外部近傍位置に保持するための排水保持手段と、
を備え、
前記排水保持手段は、保持した排水を前記プランターに供給可能に構成されている、
ことを特徴とするプランター装置。
【請求項２】
前記支持手段は、床面上に立設可能に構成され、前記プランターの載置部が上部に設けられる支持枠からなる、
ことを特徴とする請求項１に記載のプランター装置。
【請求項３】
前記支持枠は複数の枠ユニットからなり、上方に向けて積載可能に構成されている、
ことを特徴とする請求項１または２に記載のプランター装置。
【請求項４】
前記排水保持手段は、前記プランターにおける前記排水口の下方位置に取り出し自在に配置され、該排水口から流出した排水を貯留可能な貯水容器である、
ことを特徴とする請求項１〜３のいずれかに記載のプランター装置。
【請求項５】
前記貯水容器は、前記支持枠の内部に配置される、
ことを特徴とする請求項４に記載のプランター装置。
【請求項６】
前記排水保持手段は、前記排水口から流出した排水を循環させて前記プランターに供給可能な循環装置を含む、
ことを特徴とする請求項１〜５のいずれかに記載のプランター装置。
【発明の詳細な説明】
【技術分野】
【０００１】
本発明は、草花を植栽可能なプランターを備えるプランター装置に関する。
【背景技術】
【０００２】
従来、屋外や室内等において、例えば庭等の地面や室内の床面等の低い位置に設置されるプランターにおいては、草花の手入れ等をしゃがんだ姿勢で行わなければならないため、作業性が悪いという問題があった。そこで、例えば支持台等によりプランターを床面から所定高さ位置に支持できるようにしたもの等がある（例えば、特許文献１参照）。
【０００３】
【特許文献１】特開２００５−１８５７３５号公報（第３頁、第２図）
【発明の開示】
【発明が解決しようとする課題】
【０００４】
しかしながら、上記特許文献１に記載のプランターにあっては、プランターに供給され余剰した排水は、一般的にプランターの底面に設けられた排水部から外部に流出されるようになっているため、特に室内にてプランターを使用する場合、排水の処理に手間がかかるという問題があった。
【０００５】
また、このように余剰した排水を捨てるなどして処理するのではなく、例えば再度草花に還元するなどして有効に利用したいという要望があった。
【０００６】
本発明は、このような問題点に着目してなされたもので、プランターに供給され余剰した排水を、手間をかけることなく有効に利用することができるプランター装置を提供することを目的とする。
【課題を解決するための手段】
【０００７】
草花を植栽可能であるとともに、該草花に供給され余剰した排水を外部に流出するための排水口を有するプランターと、
前記プランターを床面から所定高さ位置に支持する支持手段と、
前記排水を前記プランターの内部または該プランターの外部近傍位置に保持するための排水保持手段と、
を備え、
前記排水保持手段は、保持した排水を前記プランターに供給可能に構成されている、
ことを特徴としている。
この特徴によれば、プランターが支持手段により床面から所定高さ位置に支持されることで、排水保持手段によりプランターの内部または該プランターの外部近傍位置に排水が保持された場合、該排水も床面から所定高さ位置に保持されるため、プランターを持ち上げるなどの手間をかけることなく、排水を簡単に取り出してプランター等に再び供給するなどして有効利用することができる。
【０００８】
本発明の請求項２に記載のプランター装置は、請求項１に記載のプランター装置であって、
前記支持手段は、床面上に立設可能に構成され、前記プランターの載置部が上部に設けられる支持枠からなる、
ことを特徴としている。
この特徴によれば、例えば排水口から排出される排水の周囲への飛散等が防止される。
【０００９】
本発明の請求項３に記載のプランター装置は、請求項１または２に記載のプランター装置であって、
前記支持枠は複数の枠ユニットからなり、上方に向けて積載可能に構成されている、
ことを特徴としている。
この特徴によれば、プランターの上下方向の高さ位置等を、枠ユニットの積載量に応じて簡単に調節することができる。
【００１０】
本発明の請求項４に記載のプランター装置は、請求項１〜３のいずれかに記載のプランター装置であって、
前記排水保持手段は、前記プランターにおける前記排水口の下方位置に取り出し自在に配置され、該排水口から流出した排水を貯留可能な貯水容器である、
ことを特徴としている。
この特徴によれば、排水口から流出した排水は貯留容器内に貯留されるので、極めて簡単な構造で排水を保持することができるとともに、貯留容器は取り出すことができるので、貯留容器に貯留された排水を利用することができる。
【００１１】
本発明の請求項５に記載のプランター装置は、請求項４に記載のプランター装置であって、
前記貯水容器は、前記支持枠の内部に配置される、
ことを特徴としている。
この特徴によれば、貯水容器が支持枠により覆われるため、貯留の際における水の飛散等が防止される。
【００１２】
本発明の請求項６に記載のプランター装置は、請求項１〜５のいずれかに記載のプランター装置であって、
前記排水保持手段は、前記排水口から流出した排水を循環させて前記プランターに供給可能な循環装置を含む、
ことを特徴としている。
この特徴によれば、排水をそのまま循環して再度プランターに供給できるため、手間がかかることがない。
【発明を実施するための最良の形態】
【００１３】
本発明に係るプランター装置を実施するための最良の形態を実施例に基づいて以下に説明する。
【実施例１】
【００１４】
本発明の実施例を図面に基づいて説明すると、図１は、本発明の実施例１におけるプランター装置の全体像を示す斜視図であり、図２は、（ａ）はトップユニット及びプランターを示す一部破断断面図であり、（ｂ）は（ａ）のＡ−Ａ断面図であり、図３は、（ａ）は連結用台ユニットを示す平面図であり、（ｂ）は連結用台ユニットを示す正面図であり、図４は、（ａ）はプランター装置の使用状態を示す正面図であり、（ｂ）はプランター装置の他の使用状態を示す正面図である。以下、図１の斜め左側及び図２の手前側をプランター装置の正面側として説明する。
【００１５】
本実施例１のプランター装置１は、主に室内の床面Ｆ等に設置して使用されるものであり、草花７（植物）を植栽可能なプランター２と、該プランター２を床面Ｆから所定高さ位置に支持する支持手段を構成する支持枠３と、プランター２の排水を該プランター２の下方近傍位置に保持するための排水保持手段を構成する水受皿６（貯水容器）と、から主に構成されている。
【００１６】
プランター２は、例えばステンレス材等の金属板により上面が開口する箱状に形成されており、図２に示されるように、内部に盛り土（または鉢等を収容）することができるようになっている。また、底板２ａの略中央部には排水口８が形成されており、内部に供給された水を外部に流出させることができるようになっているとともに、底板２ａの上面には、水を透過させるための複数の排水孔９ａが複数形成されたパンチングメタル板９が、排水口８を被覆するように載置されており、これにより排水口８からの土の流出を防止されている。
【００１７】
尚、本実施例ではパンチングメタル板９が設けられているが、特に設けなくてもよいし、あるいはパンチングメタル板９の代わりに例えば合成樹脂製のネットや、透水性のフィルター等を設けてもよい。また、透水性のフィルターに濾過機能を付与し、排水を濾過するようにしてもよい。
【００１８】
また、底板２ａの下面には、前後方向に延びる棒状のガイド部材１０，１０が左右に固着されている。
【００１９】
支持枠３は、図１〜図３に示されるように、木製の板材を組み付けて四角枠状に形成した複数（本実施例では４つ）の枠部材４ａ，５ａを上下方向に積載した状態で、該枠部材４ａ，５ａ内四隅に配置される上下方向を向く連結棒４ｂ，５ｂにより一体化されてなる、上下方向を向く筒状のトップユニット４及びベースユニット５から構成されている。尚、上下の枠部材４ａ，４ａ、５ａ，５ａ同士及び枠部材４ａ，５ａと連結棒４ｂ，５ｂとは互いにビスや接着剤等により固着されている。
【００２０】
トップユニット４及びベースユニット５はほぼ同様に構成されているが、トップユニット４は、図２に示されるように、その上部にプランター２を載置するための載置部が形成されている。詳しくは、最上段の枠部材４ａの上部には、載置板１１，１１が左右の枠部材４ａ，４ａそれぞれの近傍位置において前後方向に向けて固設されており、その上面にプランター２の底板２ａの下面が載置されるようになっているとともに、左右のガイド部材１０，１０が左右の載置板１１，１１の内側面に当接し、これにより左右方向の移動が規制されて落下が防止されている。つまり、載置板１１，１１によりプランター２の載置部が構成されている。
【００２１】
また、連結棒４ｂの上端は、載置板１１の下面に当接されているとともに、下端は最下段の枠部材４ａの下端よりも若干上方位置に配置されており、後述するベースユニット５の連結棒５ｂの上端部が該トップユニット４の内部に入り込むようになっている。これによりベースユニット５に対するトップユニット４の水平方向の移動が規制されて互いに連結するようになっている。
【００２２】
最上段の枠部材４ａの内部には、水受皿６を、枠部材４ａ内に収納される収納位置から前方に引き出し自在に支持する左右一対のガイドレール１２，１２が前後方向に向けて配設されている。ガイドレール１２，１２は、縦断面略Ｌ字形をなす木製の板材を互いに対向配置されており、水受皿６を前後方向に摺動自在に支持する。
【００２３】
最上段の枠部材４ａにおける前面には、水受皿６を前方に引き出すための切欠凹部１３（図１、図２（ｂ）参照）が形成されており、水受皿６を最上段の枠部材４ａにおける前面から前記収納位置に収納または引き出しできるようになっている。
【００２４】
水受皿６は、金属材により上面が開口する四角箱体に形成され、前後幅（図２（ｂ）中左右方向の幅）は枠部材４ａの前後幅寸法よりも短寸に形成されており、ガイドレール１２，１２に突設されたストッパピン１４，１４に背面が当接することにより、前面が枠部材４ａの前面と面一をなす収納位置に位置決めされるようになっている。また、この収納位置に位置した状態において、水受皿６は排水口８の直下に配置され、排水口８から流出し落下した排水を受け入れて貯留できるとともに、収納位置から前方に引き出すことで貯留された排水をトップユニット４の外部に取り出すことができるようになっている。
【００２５】
ベースユニット５は、図３に示されるように、載置板１１、ガイドレール１２、切欠凹部１３等はなく、前述したようにトップユニット４とほぼ同様に複数（本実施例では４つ）の枠部材５ａ及び連結棒５ｂにより上下方向を向く筒状に構成される。
【００２６】
連結棒５ｂは、上端が最上段の枠部材５ａの上端よりも若干上方位置に突出し、下端が最下段の枠部材５ａの下端よりも若干上方位置に位置するように配置されている。よって、該ベースユニット５の上部にトップユニット４または他のベースユニット５を載置したときに、突出した連結棒５ｂの上端が上部のトップユニット４または他のベースユニット５内に入り込んで連結される。また、該ベースユニット５を他のベースユニット５の上部に載置したときに、連結棒５ｂの下方に該他のベースユニット５の連結棒５ｂの上端部が入り込んで連結される。
【００２７】
尚、本実施例におけるプランター２の左右幅及び前後幅寸法はそれぞれ約３００ｍｍ，上下幅寸法は約２５０ｍｍとされているとともに、トップユニット４及びベースユニット５の左右・前後幅寸法及び上下幅寸法は約３００ｍｍとされているが、これら寸法は前記寸法に限定されるものではなく、種々に変更可能である。
【００２８】
このように構成される本実施例１のプランター装置１は、図４（ａ）に示されるように、床面Ｆ上に１つのベースユニット５が載置されるとともに、該ベースユニット５の上部にトップユニット４が連結され、該トップユニット４の上部にはプランター２が載置される。
【００２９】
つまり、プランター２は、ベースユニット５及びトップユニット４からなり、床面Ｆ上に立設される支持枠３により、床面Ｆから所定距離（本実施例では床面Ｆからトップユニット４の上部までの離間幅が約６００ｍｍ）離間した所定高さ位置にて支持されているため、例えばプランター２に植栽された草花の手入れ等を、例えば起立姿勢や椅子等に着座したままの楽な姿勢で行うことができる。
【００３０】
また、プランター２に植栽された草花に供給され、土中に浸透した水のうち、余剰してパンチングメタル板９を透過してプランター２内底部に流出した排水は、排水口８から落下して外部に流出し、該プランター２の下方近傍位置に配設された水受皿６内に貯留されるようになっている。つまり、草花に供給され余剰した排水は、床面Ｆ上に落下することなく、排水保持手段としての水受皿６内に貯留され、これによりプランター２の外部近傍位置、具体的にはプランター２の排水口８の下方位置に保持されることになる。
【００３１】
そして、水受皿６はトップユニット４の前方に引き出して取り出し、該水受皿６に貯留された水を例えばプランター２の草花７に再度供給して再利用することができる。すなわち、水受皿６は、トップユニット４の上部に設けられており、床面Ｆから所定距離離間した所定高さ位置にて支持されていることで、排水も床面Ｆから所定高さ位置に保持されるため、例えば貯水トレイ上にプランター２を直接載置しておく場合、貯水トレイの排水を処理する際にはプランター２を持ち上げなくてはならないが、本発明においては、プランター２を持ち上げるなどの手間をかけることなく、排水を簡単に取り出すことができるため、排水をプランター２に再び供給するなどして有効利用することが可能となる。
【００３２】
また、このように排水を下水等に直接排出してしまうのではなく、プランター２の近傍に貯留（保持）しておき、かつ、これを再び使用者がプランター２の草花７に供給できるように水受皿６を取り出し自在とすることで、使用者に対して、水と植物との係わりを強く意識させることができる。
【００３３】
また、プランター２を支持する支持枠３は、床面Ｆ上に立設可能に構成され、プランター２の載置板１１が上部に設けられていることで、排水口８の周囲が支持枠３により覆われるため、排水の周囲への飛散等が防止される。
【００３４】
また、支持枠３は複数の枠ユニットであるトップユニット４及びベースユニット５からなり、上方に向けて積載可能に構成されていることで、プランター２の上下方向の高さ位置等を、ベースユニット５の積載量に応じて簡単に調節することができる。具体的には、ベースユニット５を複数段積み重ねることで、例えば図４（ｂ）に示されるように、プランター２の支持高さ位置を使用者の背丈等に応じて高くすることができるとともに、あるいは、特に図示はしないが、ベースユニット５を用いずにトップユニット４のみでプランター２を比較的低位置に支持してもよい。
【００３５】
尚、本実施例では、トップユニット４及びベースユニット５はそれぞれ４つの枠部材４ａ，５ａが連結棒４ｂ，５ｂにより一体化されて構成されていたが、これらトップユニット４及びベースユニット５を構成する枠部材の数量は上記４つに限定されるものではなく、それぞれ５つ以上または３つ以下の枠部材にて構成されていてもよく、種々に変更可能である。
【００３６】
また、本実施例における支持枠３は、複数のベースユニット５を上下方向に積載可能に構成されていたが、例えばトップユニット４及びベースユニット５を一体化してなる１つの枠部材、つまり１つの四角枠（筒状部材）にて構成されていてもよい。また、支持枠３は、四角枠状をなすものに限定されるものではなく、例えば六角枠状や円筒枠状に形成されていてもよい。
【００３７】
また、水受皿６は、プランター２における排水口８の下方位置に取り出し自在に配置され、該排水口８から流出した排水を貯留可能に構成されているため、排水口８から流出した排水は水受皿６内に貯留されるので、極めて簡単な構造で排水を保持することができるとともに、水受皿６は、プランター２を支持枠３の上部に載置しても該プランター２の荷重がかかることがないので、プランター２を持ち上げたりすることなく、支持枠３の側面から外部に簡単に取り出すことができるので、水受皿６に貯留された排水を利用することができる。
【００３８】
特に、水受皿６は支持枠３としてのトップユニット４に対して着脱自在に配設されているため、プランター２を移動する場合や床面Ｆ上に直接載置する場合等において水受皿６が邪魔になることがない。また、水受皿６は支持枠３の内部に配置されることで、水受皿６の周囲が支持枠３により覆われるため、貯留の際における水の飛散等が防止されるとともに、外観体裁が向上する。
【００３９】
また、水受皿６は支持枠３としてのトップユニット４の上部に設けられていたが、排水口８から落下する水を貯留可能に設けられていれば、例えばトップユニット４の下部やベースユニット５に設けられていてもよいし、あるいは支持枠３内における床面Ｆ上に載置しておいてもよい。
【００４０】
さらに、本実施例１では水受皿６は前方にのみ引き出し自在に設けられていたが、支持枠３の上部にプランター２を載置した状態で取り出せるようになっていれば、前方だけでなく、後方または左右側方に引き出し自在に設けられていてもよい。
【００４１】
また、例えばプランター２，支持枠３，水受皿６等の一部に透明窓部等を設け、該透明窓部を介してプランター２や水受皿６の内部を外部から視認可能としてもよく、このようにすることで、排水状況を外部から容易に確認することができる。
【実施例２】
【００４２】
次に、実施例２に係るプランター装置につき、図５及び図６を参照して説明する。尚、前記実施例１と同一構成で重複する構成を省略する。図５は、（ａ）は本発明の実施例２としてのプランター装置を示す平面図であり、（ｂ）は（ａ）のプランター装置を示す正面図であり、図６は、図５のプランター装置を示す右側面図である。
【００４３】
本実施例２のプランター装置３１は、主に室内の床面Ｆ等に設置して使用されるものであり、草花７（植物）を植栽可能なプランター３２と、該プランター３２を床面Ｆから所定高さ位置に支持する支持手段を構成する支持枠３３と、プランター３２の排水を該プランター３２の内部に保持するための排水保持手段を構成する止水栓３４と、から主に構成されている。
【００４４】
プランター３２は、例えばステンレス材等の金属板により上面が開口する横長箱状に形成されており、図５に示されるように、内部に盛り土（または鉢等を収容）することができるようになっている。また、右側の側板３２ｂの略中央部には排水口３８が形成されており、内部に供給された水を外部に流出させることができるようになっているとともに、底板３２ａの上面には、水を透過させるための複数の排水孔３９ａが複数形成されたパンチングメタル板３９が、排水口３８を被覆するように載置されており、これにより排水口３８からの土の流出を防止されている。
【００４５】
また、底板３２ａは、左側方から排水口３８が設けられる右側方に向けて下方に傾斜する傾斜状に配設されており、排水口３８に向けて排水を誘導可能に構成されている。
【００４６】
支持枠３３は、図５及び図６に示されるように、金属製のロッド棒により４本の脚部３５が形成され、各脚部３５の下端に設けられたキャスター３６を介して、床面Ｆ上をスライド移動できるようになっている。また、上部にはプランター３２を載置可能な載置部が形成されているとともに、該載置部の周囲に上向きに折り曲げ形成された６本の規制フレーム３７によりプランター３２の外側面を支持して落下が防止されている。
【００４７】
止水栓３４は、排水口３８に接続されるパイプと、該パイプに設けられるコックとからなり、コックを操作することにより排水口３８からの排水を止水または流出させることができるようになっている。
【００４８】
このように構成される本実施例２のプランター装置３１は、ロッド棒からなる支持枠３３により、床面Ｆから所定距離（本実施例では床面Ｆから支持枠３３の上部までの離間幅が約６００ｍｍ）離間した所定高さ位置にて支持されているため、例えばプランター３２に植栽された草花の手入れ等を、例えば起立姿勢や椅子等に着座したままの楽な姿勢で行うことができる。
【００４９】
また、プランター３２に植栽された草花に供給され、土中に浸透した水のうち、余剰してパンチングメタル板３９を透過してプランター３２内底部に流出した排水は、流出口３８に設けられた止水栓３４を介して外部に流出されるようになっている。つまり、草花に供給され余剰した排水は、通常時においては止水栓３４を閉状態としておくことにより、床面Ｆ上に落下することなく、止水栓３４によりプランター３２の内部に貯留（保持）されることになる。つまり、プランター３２及び止水栓３４は、本発明の排水保持手段を構成している。
【００５０】
そして、止水栓３４を開状態とし、止水栓３４のパイプ先端から排水を適宜流出させることで、流出した水をプランター３２とほぼ同高さ位置にてトレイやバケツ等にて受けることができるため、例えばプランター２の草花７に再度供給して再利用することができる。すなわち、プランター３２が支持枠３３により床面Ｆから所定距離離間した所定高さ位置に支持されることで、該プランター３２の内部に貯留された排水も床面Ｆから所定高さ位置に保持されるため、プランター３２を持ち上げるなどの手間をかけることなく、排水を簡単に取り出し、プランター３２に再び供給するなどして有効利用することが可能となる。
【実施例３】
【００５１】
次に、実施例３に係るプランター装置につき、図７及び図８を参照して説明する。図７は、本発明の実施例３としてのプランター装置を示す正面図であり、図８は、（ａ）は図７のプランター装置を示す右側面図であり、（ｂ）は図７のＣ−Ｃ断面図である。
【００５２】
本実施例３のプランター装置４１は、主に室内の床面Ｆ等に設置して使用されるものであり、草花７（植物）を植栽可能なプランター４２と、該プランター４２を床面Ｆから所定高さ位置に支持する支持手段を構成する支持枠４３と、プランター４２の排水を該プランター４２の内部に保持するための排水保持手段を構成する排水ドレン４４及び止水栓４７ｂと、から主に構成されている。
【００５３】
プランター４２は、例えばステンレス材等の金属板により上面が開口する横長箱状に形成されており、図７に示されるように、内部に盛り土（または鉢等を収容）することができるようになっている。また、底板４２ａの略中央部には排水口４８が形成されており、内部に供給された水を外部に流出させることができるようになっているとともに、底板４２ａの上面には、水を透過させるための複数の排水孔（図示略）が複数形成されたパンチングメタル板４９が、排水口４８を被覆するように載置されており、これにより排水口４８からの土の流出を防止されている。
【００５４】
また、底板４２ａは、左右側方から中央の排水口４８に向けて下方に傾斜する傾斜状に配設されており、排水口４８に向けて排水を誘導可能に構成されている。
【００５５】
支持枠４３は、図７及び図８に示されるように、木製の角材を枠状に組み付けて構成されてなるもので、４本の脚部４３ａを介して、床面Ｆ上に立設されている。また、上部にはプランター４２を載置可能な載置部が凹設されており、該載置部内にプランター４２の底部が嵌合して載置されることにより落下が防止されている。
【００５６】
排水ドレン４４は、一端が排水口４８に接続され、他端が後述する給排水パイプ４５の垂直パイプ部４５ｃに接続されている。
【００５７】
このように構成される本実施例３のプランター装置４１は、支持枠４３により床面Ｆから所定距離（本実施例では床面Ｆから支持枠４３の上部までの離間幅が約６００ｍｍ）離間した所定高さ位置にて支持されているため、例えばプランター４２に植栽された草花の手入れ等を、例えば起立姿勢や椅子等に着座したままの楽な姿勢で行うことができる。
【００５８】
また、プランター４２に植栽された草花に供給され、土中に浸透した水のうち、余剰してパンチングメタル板４９を透過してプランター４２内底部に流出した排水は、流出口４８に設けられた排水ドレン４４内に流出され、後述する給排水パイプ４５の垂直パイプ部４５ｃ内において止水栓４７ｂにより止水されるようになっている。つまり、草花に供給され余剰した排水は、通常時においては止水栓４７ｂを閉状態としておくことにより、床面Ｆ上に落下することなく、排水ドレン４４及び止水栓４７ｂによりプランター４２の内部に貯留（保持）されることになる。
【００５９】
そして、止水栓４７ｂを開状態とし、排水ドレン４４を介して垂直パイプ部４５ｃの下端から排水を適宜流出させることで、流出した水をプランター４２とほぼ同高さ位置にてトレイやバケツ等にて受けることができるため、例えばプランター４２の草花７に再度供給して再利用することができる。すなわち、プランター４２が支持枠４３により床面Ｆから所定距離離間した所定高さ位置に支持されることで、該プランター４２の内部に貯留された排水も床面Ｆから所定高さ位置に保持されるため、プランター４２を持ち上げるなどの手間をかけることなく、排水を簡単に取り出し、プランター４２に再び供給するなどして有効利用することが可能となる。
【００６０】
また、支持枠４３には、正面視下向きコ字形の給排水パイプ４５が取り付けられている。給排水パイプ４５は、内部が中空状をなす金属製のパイプにて構成されている。詳しくは、上下方向に延びる左右の垂直パイプ部４５ｂ，４５ｃと、これら垂直パイプ４５ｂ，４５ｃの上端部同士を連結する水平パイプ部４５ａと、からなり、水平パイプ４５ａの下面には、図７中拡大図に示されるように、複数の給水孔４６が形成されており、内部に供給された水が該給水孔４６を通して落下するようになっている。
【００６１】
給排水パイプ４５は、左右の垂直パイプ部４５ｂ，４５ｃが支持枠４３に固定金具を介して取り付けられており、水平パイプ部４５ａが、プランター４２の上方所定高さ位置における該プランター４２の前後方向の中央に配置され、複数の給水孔４６から落下した水がプランター４２内の草花７及び土に供給されるようになっている。
【００６２】
尚、本実施例３では、給排水パイプ４５は支持枠４３に取り付けられているが、プランター４２に取り付けられていてもよい。また、給水孔４６からの給水は、連続的に給水するものであってもよいし、定期的に給水するものであってもよい。さらに、給水孔４６からは水を自然落下させてもよいし、あるいは噴霧状にして供給するようにしてもよい。
【００６３】
給排水パイプ４５の両端、つまり垂直パイプ部４５ｂ，４５ｃの下端はそれぞれ開口されているとともに、下端開口近傍位置には、止水栓４７ａ，４７ｂが配設されている。垂直パイプ部４５ｃにおける止水栓４７ｂの上流側には、前述した排水ドレン４４の下端が接続されており、排水ドレン４４内の排水を合流させて止水または排出させることができるようになっている。また、水平パイプ部４５ａと垂直パイプ部４５ｃとの間には止水壁（図示略）が設けられて連通が遮断されている。
【００６４】
このように構成された給排水パイプ４５は、例えば垂直パイプ部４５ｂの下端を図示しない給水源（例えば水道栓等）に給水ホース（図示略）等を介して接続し、該垂直パイプ部４５ｂの止水栓４７ａを開放するとともに、給水源から垂直パイプ部４５ｂ及び水平パイプ部４５ａ内に水を供給することで、給水孔４６からプランター４２内に水が落下して供給されることになる。
【００６５】
また、排水口４８から排水ドレン４４内に流出した排水は、垂直パイプ部４５ｂ内に流出して合流し、止水栓４７ｂにより保持される。つまり、排水はプランター４２，排水ドレン４４，垂直パイプ部４５ｃ内に保持されることになるため、これらは排水保持手段を構成している。また、排水を外部に排出する場合には止水栓４７ｂを開放すればよい。
【００６６】
さらに、垂直パイプ部４５ｃの下端と垂直パイプ部４５ｂに接続された前記給水ホース（図示略）とを図示しない接続ホース等を介して接続するとともに、該接続ホースの途中に給水ポンプ（図示略）等を設け、例えばプランター４２の排水を前記給水ポンプを介して垂直パイプ部４５ｂ内に循環供給することにより、プランター４２の排水を循環させてプランター４２に再度供給することも可能となる。つまり、これら給排水パイプ４５、止水栓４７ａ，４７ｂ、接続ホース、給水ホース、給水ポンプ、排水ドレン４４は、本発明の循環装置を構成している。
【００６７】
あるいは、前記垂直パイプ部４５ｃから流出した排水を、例えば支持枠４３等に設けた貯水容器（図示略）等に貯留されるようにし、該貯留された水を給水ポンプを介して垂直パイプ部４５ｂ内に循環供給されるようにしてもよく、この場合は貯水容器は本発明の排水保持手段及び循環装置を構成することになる。
【００６８】
このように構成される循環装置は、給水ポンプによる給水や止水栓４７ａ，４７ｂの開閉を図示しないコントローラ等により制御可能とし、給水及び排水が定期的に行われるようにしてもよいし、給水ポンプによる給水や止水栓４７ａ，４７ｂの開閉を手動にて行うようにしてもよい。
【００６９】
さらに、これら循環装置を構成する部材のうち、排水が通る給排水パイプ４５、接続ホース、給水ホース、排水ドレン４４、貯水容器等を透明な部材にて構成し、給水及び排水の状況を外部から視認可能となるようにしてもよく、このようにすることで、使用者に対して、水と植物との係わりを強く意識させることができる。
【００７０】
（変形例）
次に、本発明のプランター装置の変形例を、図９〜図１１に基づいて説明する。図９は、（ａ）は本発明の変形例１としてのプランター装置を示す正面図であり、（ｂ）は（ａ）のプランター装置を示す平面図であり、（ｃ）は（ｂ）のＤ−Ｄ断面図であり、図１０は、（ａ）は変形例２としてのプランター装置を示す平面図であり、（ｂ）は（ａ）のプランター装置を示す正面図であり、図１１は、（ａ）はさらに変形例３としてのプランター装置を示す平面図であり、（ｂ）は（ａ）のプランター装置を示す正面図である。
【００７１】
前記実施例１〜３では、プランターとしてステンレス材等の金属板により上面が開口する箱状に形成されたものが適用されていたが、プランターの材質や形状はこれに限定されるものではなく、例えば図９〜図１１のプランター装置５１，６１，７１のように、透明なガラス材や合成樹脂材等により略円形に形成されたプランター５２，６２，７２等を適用してもよい。
【００７２】
具体的に説明すると、図９に示される変形例１としてのプランター装置５１のプランター５２は、ガラス材により平面視円形に形成されたフランジ部５２ａと、該フランジ部５２ａの中央部から下方に膨出するように形成された略逆三角錐状に形成された筒状部５２ｂと、から構成され、該筒状部５２ｂ内に土や水等を供給し、草花を植栽可能に形成される。
【００７３】
また、筒状部５２ｂの下端に形成した排水口５８から排水できるとともに、コルク栓５４を装着することで止水し、取り外すことで排水できるようになっている。
【００７４】
支持枠５３は、鉄製の線材からなる３本の脚棒５３ａと、これらを連結するとともに、筒状部５２ｂを上方から差し込んで載置可能とする載置部を構成する環状部５３ｂと、から構成されている。
【００７５】
このように筒状部５２ｂの上部周囲に外側水平方向に拡がるフランジ部５２ａが形成されていることで、筒状部５２ｂの周囲に平坦面が形成されるため、プランター５２をテーブルとして利用することも可能となる。
【００７６】
次に、図１０に示される変形例２としてのプランター装置６１のプランター６２は、ガラス材により正面視略ロート形状に形成され、内部に土や水等を供給し、草花を植栽可能に形成される。また、プランター６２の下端に形成した排水口６８から排水できるとともに、コルク栓６４を装着することで止水し、取り外すことで排水できるようになっている。
【００７７】
支持枠６３は、鉄製の線材からなる２本の支持棒６３ａと、これらを連結するとともに、プランター６２を上方から差し込んで支持可能とする支持部を構成する環状部６３ｂと、から構成され、該支持枠６３は、例えば天井等からプランター６２を吊支可能に構成されている。
【００７８】
図１１に示される変形例３としてのプランター装置７１のプランター７２は、ガラス材により正面視略ロート形状に形成され、内部に土や水等を供給し、草花を植栽可能に形成される。また、プランター７２の下端に形成した排水口７８から排水できるとともに、コルク栓７４を装着することで止水し、取り外すことで排水できるようになっている。
【００７９】
支持枠７３は、鉄製の線材からなる３本の支持棒７３ａと、これらを連結するとともに、プランター７２を上方から差し込んで支持可能とする支持部を構成する環状部７３ｂと、から構成され、該支持枠７３は、例えば天井等からプランター７２を吊支可能に構成されている。
【００８０】
以上説明したように、変形例１〜３のプランター５２，６２，７２は透明なガラス材にて構成されているため、本体内部の排水の貯留状況等を外部から視認することができる。
【００８１】
また、プランターを床面Ｆから所定高さ位置に支持する本発明の支持手段は、前記実施例１〜３及び変形例１のように、床面Ｆ上に立設されるものに限定されるものではなく、天井等に取り付けられ、プランターを吊支可能な吊支部材等により構成されていてもよい。
【００８２】
以上、本発明の実施例を図面により説明してきたが、具体的な構成はこれら実施例に限られるものではなく、本発明の要旨を逸脱しない範囲における変更や追加があっても本発明に含まれる。
【００８３】
例えば、前記実施例１では、貯水容器としての水受皿６は排水口８から流出した排水を貯留するものであったが、例えば常時水受皿６内に水を貯留しておき、該貯留された水が土に供給されるように、一端を土に埋設した不織布の下端を排水口８を挿通させて水受皿６内の水に接触させておけば、給水トレイとして利用することもできる。
【００８４】
また、前記実施例１では、トップユニット４の上部に設けられた載置板１１，１１によりプランター２の載置部が構成されていたが、プランター２を載置可能に構成されていればこのような載置板１１等は設けなくてもよいし、あるいはトップユニット４をベースユニット５と同様に、最上段の枠部材４ａの上端から連結棒４ｂの上端が突出するように構成し、該突出した連結棒４ｂの上端により、左右のガイド部材１０，１０がガイドされるように構成してもよい。
【００８５】
また、前記実施例及び変形例では、排水保持手段の一部を構成する部材として水受皿６、止水栓（コルク栓）等が適用されていたが、排水の流出を適宜止水できるものであれば、栓部材やバルブ等どのようなものでもよいし、また、各実施例や変形例における排水口に、他の実施例や変形例に記載の水受皿、止水栓等を適用してもよい。
【００８６】
また、前記実施例に記載のプランターや支持枠の材質や形状等は、前記実施例に記載のものに限定されるものではなく、種々に変更可能である。
【００８７】
また、前記実施例に記載の草花を植栽可能なプランターとは、実施例１〜３に記載したように、内部に盛り土して草花を植栽するものに限定されるものではなく、例えば水に草花を活けることで植栽するものであってもよい。
【００８８】
また、前記実施例では、実施例３に関わるプランター装置４１にのみ、排水口４８から流出した排水を循環させてプランター４２に供給可能な循環装置を適用する旨を記載したが、実施例１，２や変形例１〜３のプランター装置にこのような循環装置を設けてもよい。
【図面の簡単な説明】
【００８９】
【図１】本発明の実施例１におけるプランター装置の全体像を示す斜視図である。
【図２】（ａ）はトップユニット及びプランターを示す一部破断断面図であり、（ｂ）は（ａ）のＡ−Ａ断面図である。
【図３】（ａ）は連結用台ユニットを示す平面図であり、（ｂ）は連結用台ユニットを示す正面図である。
【図４】（ａ）はプランター装置の使用状態を示す正面図であり、（ｂ）はプランター装置の他の使用状態を示す正面図である。
【図５】（ａ）は本発明の実施例２としてのプランター装置を示す平面図であり、（ｂ）は（ａ）のプランター装置を示す正面図である。
【図６】図５のプランター装置を示す右側面図である。
【図７】本発明の実施例３としてのプランター装置を示す正面図である。
【図８】（ａ）は図７のプランター装置を示す右側面図であり、（ｂ）は図７のＣ−Ｃ断面図である。
【図９】（ａ）は本発明の変形例１としてのプランター装置を示す正面図であり、（ｂ）は（ａ）のプランター装置を示す平面図であり、（ｃ）は（ｂ）のＤ−Ｄ断面図である。
【図１０】（ａ）は変形例２としてのプランター装置を示す平面図であり、（ｂ）は（ａ）のプランター装置を示す正面図である。
【図１１】（ａ）はさらに変形例３としてのプランター装置を示す平面図であり、（ｂ）は（ａ）のプランター装置を示す正面図である。
【符号の説明】
【００９０】
１，３１，４１，５１，６１，７１  プランター装置
２                      プランター
３                      支持枠
４                      トップユニット（支持枠）
４ａ，５ａ              枠部材
４ｂ，５ｂ              連結棒
５                      ベースユニット（支持枠）
６                      水受皿（排水保持手段、貯留容器）
７                      草花
８                      排水口
１１                    載置板（載置部）
１２                    ガイドレール
１３                    切欠凹部
４４                    排水ドレン（排水保持手段）
４５                    給排水パイプ
４７ａ，４７ｂ          止水栓（排水保持手段）
５４，６４，７４        コルク栓（排水保持手段）
【図１】
2008295630.tif 000003
【図２】
2008295630.tif 000004
【図３】
2008295630.tif 000005
【図４】
2008295630.tif 000006
【図５】
2008295630.tif 000007
【図６】
2008295630.tif 000008
【図７】
2008295630.tif 000009
【図８】
2008295630.tif 000010
【図９】
2008295630.tif 000011
【図１０】
2008295630.tif 000012
【図１１】
2008295630.tif 000013